(57)【要約】【課題】箱体の上側開口を塞いだ蓋体を箱体に粘着テープを用いることなく容易に係止させる。【解決手段】化粧箱１０は、方形の底板１２の周囲から底板１２の上面を包囲する様に上方に立ち上げられた周壁１３を有する上側開口の箱体１１と、箱体１１の上側開口を塞ぐ方形の天板３２の周囲から天板３２の下面を包囲する様に下方に延びて設けられ天板３２が箱体１１の上側開口を塞いた状態で周壁１３に外側から重合する側壁３３を有する蓋体３１とを備える。側壁３３の先端縁から突出する係止片３４が天板３２の対向位置における側壁３３にそれぞれ形成され、天板３２が箱体１１の上側開口を塞いた状態で側壁３３の先端縁で折り返された係止片３４が進入可能な切り込み１４又は長孔が周壁１３に形成される。【選択図】  図１
2020111333.tif 000002
【特許請求の範囲】
【請求項１】
方形の底板(12)の周囲から前記底板(12)の上面を包囲する様に上方に立ち上げられた周壁(13)を有する上側開口の箱体(11)と、前記箱体(11)の上側開口を塞ぐ方形の天板(32)の周囲から前記天板(32)の下面を包囲する様に下方に延びて設けられ前記天板(32)が前記箱体(11)の上側開口を塞いた状態で前記周壁(13)に外側から重合する側壁(33)を有する蓋体(31)と、を備えた化粧箱において、
前記側壁(33)の先端縁から突出する係止片(34)が前記天板(32)の対向位置における前記側壁(33)にそれぞれ形成され、
前記天板(32)が前記箱体(11)の上側開口を塞いた状態で前記側壁(33)の先端縁で折り返された前記係止片(34)が進入可能な切り込み(14)又は長孔が前記周壁(13)に形成された
ことを特徴とする化粧箱。
【請求項２】
側壁(33)が、天板(32)の周囲から前記天板(32)の下面を包囲する様に折り曲げられた外側壁(33a)と、前記外側壁(33a)の先端縁において折り返されて前記外側壁(33a)に重合する内側壁(33b)を備え、
係止片(34)は、前記内側壁(33b)の一部が切り起こされて形成された請求項１記載の化粧箱。
【請求項３】
周壁(13)が、底板(12)の周囲から前記底板(12)を包囲する様に立ち上げられた外周壁(13a)と、前記外周壁(13a)と所定の間隔(w)を開けて対向するように前記外周壁(13a)の上縁から折り返されて設けられた内周壁(13c)とを有し、
切り込み(14)又は長孔が前記外周壁(13a)に形成された請求項１又は２記載の化粧箱。
【請求項４】
係止片(34)の側壁(33)からの高さ(T)が、外周壁(13a)と内周壁(13c)の間の所定の間隔(w)よりも大きい請求項３記載の化粧箱。
【請求項５】
係止片(34)は、幅(W)が先端に向かうに従って小さくなるような円弧状又は多角形状を成す請求項１ないし４いずれか１項に記載の化粧箱。
【請求項６】
切り込み(14)又は長孔の長さ(D)は、蓋体(31)の天板(32)が箱体(11)の上側開口を塞いた状態で前記切り込み(14)又は長孔に進入した係止片(34)が前記切り込み(14)又は長孔の両側に接触するような長さに形成された請求項５記載の化粧箱。
【請求項７】
周壁(13)に切り込み(14)が形成され、
前記切り込み(14)は、底板(12)に平行な直線部(14a)と、前記直線部(14a)の両端から前記底板(12)に向かって延びる短辺部(14b)とを有する請求項１ないし６いずれか１項に記載の化粧箱。
【発明の詳細な説明】
【技術分野】
【０００１】
本発明は、上側が開口した有底の箱体と、その箱体と別に設けられてその箱体の上側開口を塞ぐ蓋体とを備えた化粧箱に関するものである。
【背景技術】
【０００２】
従来、子どもや孫の誕生日や七五三の祝いや結婚式等の祝事において、贈答品を送る習慣がある。この贈答品を贈る際に、贈答品を梱包するけれども、その梱包に際して化粧箱を用い、この化粧箱に贈答品を収容させるようなことが行われる。
【０００３】
この化粧箱にあっては、上側が開口した有底の箱体と、その箱体と別に設けられてその箱体の上側開口を塞ぐ蓋体とを備えたものが知られており、必要に応じて、箱体の内部に内枠体を入れ、その内枠体により複数の贈答品を整列仕分けすることにより、贈答品を体裁良く収容し得るとしている（例えば、特許文献１参照。）。
【０００４】
そして、贈答品を箱体に収容した後には、蓋体により箱体の上側開口を覆い、その蓋体の周囲を粘着テープ等を用いて箱体に貼付することが行われ、必要に応じて包装紙によりその化粧箱を更に梱包し、これにより、不用意に蓋体が箱体から離脱して箱体の上側開口が開放されることを防止するようになっている。
【先行技術文献】
【特許文献】
【０００５】
【特許文献１】実用新案登録第３１２９３０３号
【発明の概要】
【発明が解決しようとする課題】
【０００６】
しかし、箱体の上側開口を塞いだ蓋体を粘着テープにて貼付するためには、その蓋体を箱体の上側開口を確実に塞いた状態にして、その状態を維持した状態で粘着テープを正規の位置に正確に貼付する必要が生じ、正確に貼付する必要から、その貼付作業に比較的手間が取られるという未だ解決すべき課題が残存していた。
【０００７】
また、箱体の上側開口を塞いだ蓋体を粘着テープにて貼付することは、化粧箱以外に粘着テープを必要とし、梱包に必要な材料の種類を増大させ、贈答品の梱包に係る単価を押し上げる不具合もある。
【０００８】
本発明の目的は、箱体の上側開口を塞いだ蓋体を箱体に容易に係止させ得る化粧箱を提供することにある。
【０００９】
本発明の別の目的は、粘着テープを用いることなく蓋体を箱体に係止させ得る化粧箱を提供することにある。
【課題を解決するための手段】
【００１０】
本発明は、方形の底板の周囲から底板の上面を包囲する様に上方に立ち上げられた周壁を有する上側開口の箱体と、箱体の上側開口を塞ぐ方形の天板の周囲から天板の下面を包囲する様に下方に延びて設けられ天板が箱体の上側開口を塞いた状態で周壁に外側から重合する側壁を有する蓋体と、を備えた化粧箱の改良である。
【００１１】
その特徴有る構成は、側壁の先端縁から突出する係止片が天板の対向位置における側壁にそれぞれ形成され、天板が箱体の上側開口を塞いた状態で側壁の先端縁で折り返された係止片が進入可能な切り込み又は長孔が周壁に形成されたところにある。
【００１２】
この化粧箱では、側壁が、天板の周囲から天板の下面を包囲する様に折り曲げられた外側壁と、外側壁の先端縁において折り返されて外側壁に重合する内側壁を備える場合には、内側壁の一部を切り起こして係止片を形成することが好ましい。
【００１３】
また、周壁が、底板の周囲から底板を包囲する様に立ち上げられた外周壁と、外周壁と所定の間隔を開けて対向するように外周壁の上縁から折り返されて設けられた内周壁とを有する場合には、切り込み又は長孔を外周壁に形成することが好ましく、係止片の側壁からの高さを、外周壁と内周壁の間の所定の間隔よりも大きくすることが好ましい。
【００１４】
また、係止片は、幅が先端に向かうに従って小さくなるような円弧状又は多角形状を成すことが好ましく、この場合、切り込み又は長孔の長さは、蓋体の天板が箱体の上側開口を塞いた状態で切り込み又は長孔に進入した係止片がその切り込み又は長孔の両側に接触するような長さに形成することが更に好ましい。
【００１５】
そして、周壁に切り込みを形成する場合、その切り込みは、底板に平行な直線部と、その直線部の両端から底板に向かって延びる短辺部とを有することが好ましい。
【発明の効果】
【００１６】
本発明の化粧箱では、蓋体における側壁の先端縁で折り返された係止片が進入可能な切り込み又は長孔を箱体における周壁に形成したので、係止片が切り込み又長孔に進入して天板に向かうような状態であると、その係止片が先端に設けられた側壁の周壁に対する上側への移動は不能に成る。よって、これにより、粘着テープを用いることなく、箱体の上側開口を塞いだ蓋体を箱体に容易に係止させることが可能となる。
【００１７】
また、内側壁の一部を切り起こして係止片を形成すると、係止片の形成が容易となり、切り込み又は長孔を箱体における外周壁に形成すれば、切り込みに進入した係止片が、箱体に収容された贈答品に接触して、その進入が阻害されるようなことを防止することができる。
【００１８】
また、係止片が、幅が先端に向かうに従って小さくなるような円弧状又は多角形状を成していれば、係止片の切り込み又は長孔への進入は、その幅が狭い先端から始まることになり、比較的容易にその切り込み又は長孔に進入させることが可能となり、蓋体の天板が箱体の上側開口を塞いた状態で進入した係止片が切り込み又は長孔の両側に接触するような長さであれば、箱体に係止された蓋体の箱体に対する浮きを防止することが可能となる。
【００１９】
そして、周壁に形成された切り込みが、底板に平行な直線部と、その直線部の両端から底板に向かって延びる短辺部とを有するものであれば、切り込みに進入した係止片を切り込みにより挟持することになり、係止片の切り込みからの容易な離脱を防止することもできる。
【図面の簡単な説明】
【００２０】
【図１】本発明実施形態の化粧箱を示す分解斜視図である。
【図２】その箱体を得る為の箱用シート状物を示す展開図である。
【図３】その蓋体を得る為の蓋用シート状物を示す展開図である。
【図４】その化粧箱の構造を示す図１のＡ−Ａ線断面図である。
【図５】その蓋体が箱体に被せられた状態を示す図４に対応する断面図である。
【図６】その係止片を折り返す状態を示す図５に対応する断面図である。
【図７】その折り返した係止片が切り込みに進入した状態を示す図６に対応する断面図である。
【図８】その切り込みに進入した係止片が上方を向いて側壁が周壁に重合した状態を示す図７に対応する断面図である。
【図９】その切り込みと係止片との関係を示す化粧箱の図４をＢ方向から見た図である。
【図１０】側壁が周壁に重合した状態の切り込みと係止片との関係を示す図８をＣ方向から見た図である。
【図１１】その蓋体を箱体から離脱させる状態を示す断面図である。
【図１２】別の形状の係止片が切り込みに進入した状態を示す図１０に対応する図である。
【発明を実施するための形態】
【００２１】
次に本発明を実施するための最良の形態を図面に基づいて説明する。
【００２２】
図１に示すように、本発明の化粧箱１０は、上端が開放された有底の箱体１１と、その箱体１１の上側開口を塞ぐ蓋体３１とを備える。箱体１１は、方形の底板１２と、その底板１２の周囲から上方に立ち上げられて、その底板１２の上面を包囲する周壁１３とを有する。
【００２３】
この実施の形態における化粧箱１０は、いわゆる額付きの身蓋箱であって、図４に示すように、箱体１１における周壁１３は、底板１２の四側縁から底板１２を包囲する様に立ち上げられた前後左右の外周壁１３ａと、その前後左右の外周壁１３ａの上縁から底板１２の中央に向かって内側にそれぞれ折り返された天壁１３ｂと、その天壁１３ｂの内端縁から底板１２に向かって折り曲げられて天壁１３ｂの幅に相当する所定の間隔ｗを開けて前後左右の外周壁１３ａに対向する前後左右の内周壁１３ｃとを有する。このような箱体１１は、素材となるシート状物を折り曲げ加工することにより作製することができる。
【００２４】
図２に、この箱体１１を得る為の展開された箱用シート状物２１を示す。この箱用シート状物２１は、方形の底板１２と、その底板１２の外周を成す四側縁から第一折り目２２を介して連設された前後左右の外周壁１３ａと、その前後左右の外周壁１３ａの端縁から第二折り目２３を介して連接された天壁１３ｂと、この天壁１３ｂに第三折り目２４を介して更に連設された前後左右の内周壁１３ｃとを備えるものを示す。ここで、外周壁１３ａの高さＨ１と内周壁１３ｃの高さＨ２は略等しくなるように形成される。
【００２５】
図２では、前後左右の内周壁１３ｃの外端縁から第四二折り目２５を介して支持壁１３ｄが連接され、前後左右の外周壁１３ａの長手方向の両端部を隣接する外周壁１３ａの端部に連続させる補強片１３ｅが第五折り目２６を介して形成され、前後の内周壁１３ｃの左右両側から第六折り目２７を介して巻き込み片１３ｆがそれぞれ形成された箱用シート状物２１を示す。そして、補強片１３ｅには、その中央に第七折目２８が更に形成される。
【００２６】
このような箱用シート状物２１の組み立ては、図４に示すように、底板１２の周囲から第一折り目２２を介して連続する外周壁１３ａを上方に立ち上げる。そして、外周壁１３ａの上縁に第二折り目２３を介して連設された天壁１３ｂをそれぞれ内側に折り曲げ、その天壁１３ｂに第三折り目２４を介して連接された前後左右の内周壁１３ｃを更に同一方向に折り返して、天壁１３ｂの幅に相当する所定の間隔ｗを開けて内周壁１３ｃを外周壁１３ａに内側から対向させる。
【００２７】
また、内周壁１３ｃに更に連設された支持壁１３ｄにあっては第四折り目２５により逆方向に折り曲げて、内周壁１３ｃを外周壁１３ａに対向させた状態でそれら支持壁１３ｄを底板１２の周囲に重合させて、その周囲の強度を向上させる。
【００２８】
一方、外周壁１３ａの端部に連続して形成された図２に示す補強片１３ｅにあっては、前後左右の外周壁１３ａを底板１２の周囲において立ち上げたときに二つ折りにして内側に入れ込み、前後の内周壁１３ｃの左右両側から形成された図２に示す巻き込み片１３ｆにあっては、立ち上げた外周壁１３ａに内周壁１３ｃを対向させる際に、隣接する外周壁１３ａと内周壁１３ｃの間の所定の隙間ｗに進入させ、立ち上げられた外周壁１３ａが元に戻ることを防止する。
【００２９】
図１に示す様に、このように組み立てられた箱体１１は、所定の間隔を開けて対向する外周壁１３ａと内周壁１３ｃを有する周壁１３を備えることに成り、この周壁１３が底板１２の周囲から上方に立ち上げられた額を成すことになる。そして、底板１２の上面を包囲する周壁１３は開口して、上側開口を形成することになる。
【００３０】
一方、この箱体１１の上側開口を塞ぐ蓋体３１は、その箱体１１の上側開口を塞ぐ方形の天板３２と、その天板３２の周囲から天板３２の下面を包囲する様に下方に延びて設けられ、その天板３２が蓋体３１の上側開口を塞いた状態で箱体１１における周壁１３に外側から重合する側壁３３を有する。
【００３１】
この蓋体３１にあっても、素材となるシート状物を折り曲げ加工することにより作製することができる。図３に、この蓋体３１を得る為の展開された蓋用シート状物４１を示す。この蓋用シート状物４１は、方形の天板３２と、その天板３２の周囲における四側縁から第一折り目４２を介して連設された前後左右の外側壁３３ａと、その前後左右の外側壁３３ａの端縁から第二折り目４３を介して更に連設された前後左右の内側壁３３ｂとを備えるものを示す。
【００３２】
図３では、前後左右の外側壁３３ａの長手方向の両端部を隣接する外側壁３３ａの端部に連続させる補強片３３ｃが第三折目４４を介して形成され、前後の内側壁３３ｂの左右両側から第四折目４５を介して巻き込み片３３ｄがそれぞれ形成され、前後左右の内側壁３３ｂから第五折目４６を介して更に重合片３３ｅが形成された展開された蓋用シート状物４１を示す。
【００３３】
そして、補強片３３ｃには、その中央に第六折目４７が更に形成され、外側壁３３ａの高さｈ１と内側壁３３ｂの高さｈ２は略等しくなるように形成される。
【００３４】
このような蓋用シート状物４１の組み立ては、図４に示すように、天板３２の周囲から第一折り目４２を介して連続する外側壁３３ａを下方向に向けて折り曲げる。そして、外側壁３３ａに連設された前後左右の内側壁３３ｂを第二折り目４３を介して同一方向に折り返して、それらの外側壁３３に内側から重合させ、互いに重合する外側壁３３ａと内側壁３３ｂを有する側壁３３を、天板３２の下面を包囲する様に天板３２の周囲に下方に延びて設ける。
【００３５】
また、内側壁３３ｂの端縁に更に連設された重合片３３ｅにあっては第五折り目４６を介して逆方向に折り曲げて、内側壁３３ｂを外側壁３３ａに重合させた状態でそれら重合片３３ｅを天板３２の周囲に重合させて、その周囲の強度を向上させる。
【００３６】
一方、内側壁３３ｂの端部に連続して形成された図３に示す補強片３３ｃにあっては、前後左右の外側壁３３ａを天板３２の周囲において立ち上げて、それに内側壁３３ｂを重合させたときに二つ折りにして外側壁３３ａと内側壁３３ｂの間に入れ込み、前後の内側壁３３ｂの左右両側から形成された図３に示す巻き込み片３３ｄにあっては、外側壁３３ａと内側壁３３ｂを重合させる際に、その間に進入させ、互いに重合する外側壁３３ａと内側壁３３ｂから成る側壁３３が元に戻ることを防止する。
【００３７】
このように組み立てられた蓋体３１は、天板３２の外形を箱体１１の周壁１３の外形に相当する大きさにすることにより、図５に示すように、天板３２が箱体１１の上側開口を塞いた状態で、その天板３２の周囲から下方に延びる側壁３３が、箱体１１の周壁１３に外側から重合するものとなる。
【００３８】
ここで、図２に示す箱用シート状物２１や図３に示す蓋用シート状物４１は、弾性を有し折り曲げ可能なシート状物を型を用いて打ち抜くことにより作ることができ、そのシート状物としては、例えば、上質紙、コート紙、再生紙等の各種紙材及びポリエチレン系樹脂、ポリプロピレン系樹脂、ポリエステル系樹脂、ポリカーボネート系樹脂、ポリスチレン系樹脂、アクリル系樹脂等からなる各種樹脂フィルムが挙げられる。
【００３９】
なお、この箱用シート状物２１や蓋用シート状物４１は、その後に組立てられて箱体１１や蓋体３１として用いられることから、その箱体１１や蓋体３１の強度に耐えうるように、比較的厚いもの、例えば、２２０ｇ／ｍ2以上のもの、好ましくは２２０ｇ／ｍ2〜２４０ｇ／ｍ2のものを使用することが好ましい。
【００４０】
図１に戻って、本発明の化粧箱１０の特徴有る構成は、蓋体３１において、側壁３３の先端縁、即ち図における側壁３３の下端縁から側壁３３に連続する係止片３４が天板３２の対向位置にそれぞれ形成され、その天板３２が箱体１１の上側開口を塞いた状態で側壁３３の先端縁で折り返された係止片３４が進入可能な切り込み１４又は長孔が周壁１３に形成されたところにある。
【００４１】
この実施の形態では、図３に示す蓋用シート状物４１を組み立てて蓋体３１を得るので、図４に示すように、その蓋体３１の側壁３３は、先端縁において外側壁３３ａに重合するように折り曲げられた内側壁３３ｂを備えることになる。このため、図３に示すように、蓋用シート状物４１の前後の内側壁３３ｂに、前後の外側壁３３ａに連続する係止片３４を構成する切り欠き３４ａがそれぞれ形成されるものとする。
【００４２】
図３における切り欠き３４ａは、前後の内側壁３３ｂの長手方向の略中央において、外側壁３３ａと内側壁３３ｂとの間の第二折目４３を始点と終点とする円弧状に形成され、この切り欠き３４ａと第二折目４３により包囲された部分が係止片３４とされる。
【００４３】
従って、この蓋用シート状物４１を用いて蓋体３１を組立てる際には、天板３２の周囲において折り曲げた外側壁３３ａに内側壁３３ｂを更に折り返して重合させることになるけれども、その切り欠き３４ａに包囲される係止片３４は前後の内側壁３３ｂを第二折り目４３で折り返しても、折り返されずに切り欠き３４ａにより内側壁３３ｂから分離し、外側壁３３ａと同一面に残存して、その外側壁３３ａに連続するものとなる。即ち、図３に示す蓋用シート状物４１を用いて蓋体３１を組立てると、係止片３４は、内側壁３３ｂの一部が切り起こされて形成されることになる。
【００４４】
このように、蓋用シート状物４１には、係止片３４を形成するための切り欠き３４ａが形成されるけれども、蓋用シート状物４１を刃型により打ち抜いて形成する場合には、その刃型に切り欠き３４ａを形成するための刃を取付けることにより、蓋用シート状物４１を打ち抜いて形成する際に、その切り欠き３４ａを同時に形成することが可能となり、切り欠き３４ａを形成するための工程が増加して、蓋用シート状物４１の単価が押し上げられるようなことを回避することができる。
【００４５】
一方、この実施の形態では、箱体１１にあっても図２に示す箱用シート状物２１を組み立てることにより得るので、箱体１１における周壁１３は、底板１２の四側縁から底板１２を包囲する様に立ち上げられた外周壁１３ａと、その外周壁１３ａと所定の間隔ｗを開けて内側から対向する内周壁１３ｃとを有することになる。
【００４６】
このため、係止片３４が進入可能な切り込み１４又は長孔は、蓋体３１における側壁３３が直接的に重合することになる外周壁１３ａに形成される。この実施の形態では、切り込み１４がその外周壁１３ａに形成されるものとし、その切り込み１４は、底板１２と平行な直線部１４ａと、その直線部１４ａの両端から底板１２に向かって延びる短辺部１４ｂとを有するものとする。
【００４７】
図２に示すように、箱用シート状物２１に、切り込み１４を予め形成することにより、その箱用シート状物２１を刃型により打ち抜いて形成する際に、その切り込み１４を同時に形成することが可能となる。すると、この箱用シート状物２１を組み立てた後に切り込み１４を形成するような工程は不要と成り、切り込み１４を形成するような工程が増加することを防止して、箱体１１の単価が押し上げられるようなことを回避することが可能となる。
【００４８】
ここで、図８に示すように、蓋体３１は、箱体１１の上側開口を塞ぐものであるので、その天板３２は箱体１１の底板１２より僅かに大きく形成されて、その天板３２が箱体１１の上部開口を閉じた状態で、その側壁３３が箱体１１の周壁１３の外側に重合するように形成される。そして、側壁３３の高さｈは周壁１３の高さＨより短く形成され、蓋体３１における天板３２が箱体１１の上側開口を塞いた状態で、側壁３３の先端縁で折り返された係止片３４が切り込み１４又は長孔に進入可能に構成される。
【００４９】
即ち、側壁３３の先端縁で折り返された係止片３４を切り込み１４又は長孔に進入させるために、周壁１３の上端から切り込み１４までの長さＬは、側壁３３の高さｈよりも小さく成るように形成される。これにより、側壁３３の先端縁で折り返されて切り込み１４に進入した係止片３４は、周壁１３における外周壁１３ａと内周壁１３ｃの間において、天板３２に向かうことになる。
【００５０】
また、係止片３４の高さＴは側壁３３の高さｈより短く形成されるけれども、内周壁１３ｃと外周壁１３ａの間の所定の隙間ｗより長く形成される。そして、図９及び図１０に示す様に、側壁３３に接する円弧状の係止片３４の幅Ｗよりも切り込み１４の長さＤ、即ち直線部１４ａの長さＤを小さくし、蓋体３１の天板３２が箱体１１の周壁１３の上端に当接した状態で、切り込み１４に侵入した円弧状の係止片３４が、切り込み１４の両側に接触する様な大きさにすることが好ましい。
【００５１】
具体的に好ましい数値を挙げると、図９に示す様に、箱体１１における周壁１３の高さＨが３５ｍｍを超えるようなものである場合には、蓋体３１における側壁３３を周壁１３の外周面に比較的容易に重合させるために、その側壁３３の高さｈは２０ｍｍ程度、即ち１８〜２２ｍｍの範囲であることが好ましく、１９〜２１ｍｍの範囲であることが更に好ましい。そして、側壁３３の先端縁で折り返された係止片３４を切り込み１４又は長孔に進入させるために、周壁１３の上端から切り込み１４までの長さＬは１２ｍｍ程度、即ち１０〜１４ｍｍの範囲であることが好ましく、１１〜１３ｍｍの範囲であることが更に好ましい。
【００５２】
また、内周壁１３ｃと外周壁１３ａの間の所定の隙間ｗはその強度を確保するために、６ｍｍ程度、即ち４〜８ｍｍの範囲であることが好ましく、５〜７ｍｍの範囲であることが更に好ましい。係止片３４の高さＴは、側壁３３の高さｈより短く、かつ内周壁１３ｃと外周壁１３ａの間の所定の隙間ｗより長く形成されるため、１４ｍｍ程度、即ち１２〜１６ｍｍの範囲であることが好ましく、１３〜１５ｍｍの範囲であることが更に好ましい。そして、係止片３４は作業員がその手によって折り返すために、作業員の３本の指にて折り返し得るように、側壁３３に連続する係止片３４の幅Ｗは、６０ｍｍ程度、即ち５６〜６４ｍｍの範囲であることが好ましく、５８〜６２ｍｍの範囲であることが更に好ましい。
【００５３】
また、係止片３４が円弧状を成す場合、切り込み１４に侵入した係止片３４を切り込み１４の両側に接触させるために、切り込み１４の長さＤ、即ち直線部１４ａの長さＤは、５０ｍｍ程度、即ち４６〜５４ｍｍの範囲であることが好ましく、４８〜５２ｍｍの範囲であることが更に好ましい。また、切り込み１４を構成する短辺部１４ｂの長さＥは、３ｍｍ程度、即ち２〜５ｍｍの範囲であることが好ましい。
【００５４】
これらの範囲で係止片３４と切り込み１４を形成することにより、蓋体３１の天板３２が箱体１１の周壁１３の上端に当接した状態で、切り込み１４に侵入した円弧状の係止片３４を、切り込み１４の両側に接触させることが容易になり、切り込み１４に進入した係止片３４をその切り込み１４により効果的に挟持させることが可能となる。
【００５５】
次に、上記化粧箱を用いた贈答品の梱包について説明する。
【００５６】
この化粧箱１０は特に贈答用に使用されるものであって、上側が開口した箱体１１と、その箱体１１と別に設けられてその箱体１１の上側開口を塞ぐ蓋体３１とを備えるので、贈答品は箱体１１に収容され、その後に、蓋体３１により箱体１１の上側開口を覆うことが行われる。
【００５７】
蓋体３１により箱体１１の上側開口を覆うには、図４に示すように、側壁３３の先端縁、即ち図における下端縁から下方に延びる係止片３４を互いに遠ざかる方向に広げ、その状態でその係止片３４を箱体１１の周壁１３の外側に這わせるようにして下降させる。そして、図５に示すように、天板３２の周囲を箱体１１における周壁１３の上端に接触させるとともに、その係止片３４に連続する側壁３３を箱体１１における周壁１３の外周面に重合させる。これにより箱体１１の上側開口を蓋体３１により封止することになる。
【００５８】
このように蓋体３１を箱体１１に被せた後には、その蓋体３１を箱体１１に係止させる。この係止にあっては、図６に示すように、外側に押し広げていた係止片３４を内側に折り曲げつつ、蓋体３１における側壁３３を弾性により互いに外側に広げると共に、箱体１１の周壁１３、この実施の形態ではその外周壁１３ａをその弾性により内側に傾倒させる。そして、係止片３４の先端が切り込み１４に達すると、図７に示す様に、弾性により復元しようとする側壁３３と復元しようとする周壁１３（外周壁１３ａ）により係止片３４の先端は切り込み１４を押し広げて、その切り込み１４に進入する。
【００５９】
この時の係止片３４の切り込み１４への進入は、側壁３３と周壁１３双方の復元力により比較的勢い良く、素早く行われることになり、係止片３４と切り込み１４の間に摺動音を生じさせるとともに、手作業により係止片３４を内側に折り曲げていた作業者に、側壁３３が勢いよく復元する感覚を与える。このような摺動音や側壁３３の勢いよく復元する感覚により、その蓋体３１を箱体１１に係止させようとする作業者に、係止片３４の切り込み１４への進入を認識させることになる。
【００６０】
ここで、図９に示す様に、この実施の形態における係止片３４は、幅Ｗが先端に向かうに従って小さくなるような円弧状に形成されているので、係止片３４の切り込み１４への進入は、その幅が狭い先端から始まることになり、比較的容易に切り込み１４に進入させることが可能となる。
【００６１】
図８に示す様に、係止片３４の先端が切り込み１４に進入した後であって、側壁３３と周壁１３の復元が進み、蓋体３１における側壁３３が箱体１１における周壁１３に再び接触するようになると、周壁１３の上端から切り込み１４までの長さＬは、側壁３３の高さｈよりも小さく成るように形成されているので、切り込み１４に進入した係止片３４は、周壁１３における外周壁１３ａと内周壁１３ｃの間において、天板３２に向かって折り曲げられることになる。
【００６２】
このように、係止片３４が切り込み１４に進入して天板３２に向かうような状態であると、その係止片３４が先端に設けられた側壁３３の周壁１３に対する上側への移動は不能に成り、これにより箱体１１の上側開口を覆った蓋体３１は、その箱体１１に係止されることになる。
【００６３】
特に、係止片３４は蓋体３１における天板３２の対向する辺の中央、即ち、対称位置にそれぞれに形成されているので、その係止片３４を箱体１１の両側にそれぞれ形成された切り込み１４にそれぞれ進入させることにより、その蓋体３１の両側において箱体１１にバランス良く係止させることが可能となり、蓋体３１の片側が箱体１１から浮いてしまうような事態を回避することができる。
【００６４】
そして、箱体１１における周壁１３が、外周壁１３ａと、その外周壁１３ａと所定の間隔を開けて対向するように折り曲げられた内周壁１３ｃとを有するので、切り込み１４に進入した係止片３４は、その外周壁１３ａを内周壁１３ｃとの間に留まることになる。このため、箱体１１に収容された図示しない贈答品に係止片３４が接触して、係止片３４の切り込み１４への進入が阻害されるようなことはない。
【００６５】
また、係止片３４の側壁３３からの高さＴが、外周壁１３ａと内周壁１３ｃの間の所定の間隔ｗよりも大きくすることにより、切り込み１４に進入して天板３２に向かう係止片３４が、外周壁１３ａと内周壁１３ｃの間で箱体１１の底板１２側に向かうような転向は防止され、この転向による蓋体３１の箱体１１からの離脱は確実に防止される。
【００６６】
ここで、側壁３３の先端縁で折り返された係止片３４を切り込み１４に進入させるために、周壁１３における天壁１３ｂから切り込み１４までの長さＬは、側壁３３の高さｈより短く形成されているので、その長さＬと高さｈの差の程度の蓋体３１の箱体１１に対する浮きは生じることにはなる。
【００６７】
けれども、図１０に示す様に、円弧状の係止片３４を用いる場合には、その幅Ｗを切り込み１４の長さＤよりも大きくし、蓋体３１の天板３２が箱体１１の周壁１３の上端に当接した状態で、切り込み１４に侵入した円弧状の係止片３４が、切り込み１４の両側に接触する様な大きさにすることにより、蓋体３１の箱体１１に対する浮きを防止することが可能となる。
【００６８】
そして、図８及び図１０に示す様に、切り込み１４が直線部１４ａと、その両側における短辺部１４ｂを有する場合、この短辺部１４ｂにおいて直線部１４ａの両側がずれて、そのずれた直線部１４ａの間に係止片３４が進入することになる。すると、切り込み１４に進入した係止片３４は、この切り込み１４により挟持されることになり、係止片３４の切り込み１４からの容易な離脱を防止して、不用意に蓋体３１が箱体１１から離脱して箱体１１の上側開口が開放されることを防止することになる。
【００６９】
このように本発明の化粧箱１０によれば、係止片３４を折り返して切り込み１４に進入させるだけの簡単な作業で、箱体１１を封止した蓋体３１を箱体１１に係止することが可能になる。そして、切り込み１４及びその切り込み１４に進入したその係止片３４は蓋体３１における側壁３３により覆われるので、それらが外観上に現れて、外観上の見栄えを悪化させるようなことはない。
【００７０】
また、蓋体３１を箱体１１に係止すれば、流通過程においても不用意に蓋体３１が箱体１１から離脱して箱体１１の上側開口が開放されることを防止することができるので、このような化粧箱１０において、蓋体３１の離脱を防止するために従来行われていた粘着テープによる蓋体３１の貼り付けを省くことが可能となる。
【００７１】
すると、贈答品の梱包に際して、蓋体３１を箱体１１に係止するために従来必要であった粘着テープが不要と成り、梱包に必要な材料の種類は減少して、贈答品の梱包に係る単価を押し下げることが可能となる。そして、蓋体３１への印刷も可能であるので、例えば、のし紙風のデザイン等を蓋体３１に印刷すれば、この化粧箱１０を更にのし紙において包装するようなことを省くことも可能となる。
【００７２】
一方、このように蓋体３１を箱体１１に係止させた本発明における化粧箱１０において、その蓋体３１を箱体１１から離脱させるには、図１１(ａ)に示す様に、蓋体３１における側壁３３を弾性により互いに外側に広げると共に、箱体１１の周壁１３をその弾性により内側に傾倒させ、切り込み１４に進入していた係止片３４を切り込み１４から抜き出す。そして、図１１(ｂ)に示す様に、係止片３４を切り込み１４から抜き出した状態で、蓋体３１を上方に移動させて箱体１１から離脱させることにより、箱体１１の上側開口部を容易に開放させることが可能となる。
【００７３】
また、側壁３３を構成する内側壁３３ｂの一部を切り起こして係止片３４を形成しているので、蓋体３１を箱体３１に係止させる必要が無い場合には、この係止片３４を切り起こさずに内側壁３３ｂと一体にさせておくことにより、係止片３４を有さない通常の蓋体３３として用いることもできる。
【００７４】
なお、上述した実施の形態では、側壁３３の先端縁から円弧状に突出する係止片３４が形成される場合を説明したけれども、切り込み１４に進入可能で有る限り、この係止片３４は、円弧状でなく、多角形状であっても良い。例えば、図１２に示すような台形状であっても良い。
【００７５】
係止片３４を多角形状、例えば図１２示す様な台形状であっても、係止片３４の切り込み１４への進入は、その先端から始まるので、その幅Ｗを先端に向かうに従って小さくすることにより、比較的容易に係止片３４を切り込み１４や長孔に進入させることが可能となり、蓋体３１の天板３２が箱体１１の周壁１３の上端に当接した状態で、切り込み１４に侵入した多角形状の係止片３４が、切り込み１４や長孔の両側に接触する様な大きさにすることにより、蓋体３１の箱体１１に対する浮きを防止することが可能となる。
【００７６】
また、上述した実施の形態では、側壁３３を構成することになる外側壁３３ａと内側壁３３ｂの間の第二折り目４３から円弧状の切り欠き３４ａを内側壁３３ｂに入れて、第二折り目４３と切り欠き３４ａにより囲まれる部位を係止片３４としたけれども、切り欠き３４ａを形成することなく、別に設けられた係止片３４を側壁３３に接着する様にして、側壁３３に連続する係止片３４を形成するようにしても良い。
【００７７】
また、上述した実施の形態では、側壁３３に切り込み１４が形成される場合を説明したけれども、係止片３４が進入して、蓋体３１を箱体１１に係止しうる限り、図示しないが、側壁３３に係止片３４が進入可能な長孔を形成するようにしても良い。
【００７８】
更に、上述した実施の形態では、箱体１１における周壁１３が、外周壁１３ａと、その外周壁１３ａと所定の間隔を開けて対向するように折り曲げられた内周壁１３ｃとを有する場合を説明した。けれども、切り込み１４に進入した係止片３４が、箱体１１に収容された図示しない贈答品に係止片３４が接触しないようであれば、特に、この内周壁１３ｃを設けるような事を必要としない。
【符号の説明】
【００７９】
１０  化粧箱
１１  箱体
１２  底板
１３  周壁
１３ａ  外周壁
１３ｃ  内周壁
１４  切り込み
１４ａ  直線部
１４ｂ  短辺部
３１  蓋体
３２  天板
３３  側壁
３３ａ  外側壁
３３ｂ  内側壁
３４  係止片
Ｔ  係止片の側壁からの高さ
ｗ  外周壁と内周壁の間の所定の間隔
Ｗ  係止片の幅
Ｄ  切り込みの長さ
【図１】
2020111333.tif 000003
【図２】
2020111333.tif 000004
【図３】
2020111333.tif 000005
【図４】
2020111333.tif 000006
【図５】
2020111333.tif 000007
【図６】
2020111333.tif 000008
【図７】
2020111333.tif 000009
【図８】
2020111333.tif 000010
【図９】
2020111333.tif 000011
【図１０】
2020111333.tif 000012
【図１１】
2020111333.tif 000013
【図１２】
2020111333.tif 000014